(57)【要約】      （修正有）【課題】強い振動を発生して身体にバイブレーションを効果的に伝えることが出来ると共に、様々な接触感をユーザーに与え得るマッサージ具を提供する。【解決手段】電動モータ３と電動モータのシャフトに偏心状態で取り付けられた錘３２とから成るマッサージ具であって、錘はシャフトから延設された、電動モータの外周部３５を周回する部位、を有しており、マッサージ具の筐体１の全体は掌で包み込み得るような形状を呈し、掌で包み込んだ際に、指が掛かりやすいような凹部１２が筐体に形成されていると共に、身体に接触させる側に筐体に対して着脱自在でありかつ略吸盤状に開いた形状の開口部２０を有する振動伝達部２を備える。【選択図】図１
0003195158.tif 000002
【実用新案登録請求の範囲】
【請求項１】
電動モータとこの電動モータのシャフトに偏心状態で取り付けられた錘とを備えたマッサージ具であって、前記錘は前記シャフトから延設された前記電動モータの外周部を周回する部位を有しており、このマッサージ具の筐体の全体は掌で包み込み得るような形状を呈していると共に、掌で包み込んだ際に指が掛かりやすいような凹部が筐体に形成されており、筐体の全体を掌で包み込んだ時に身体に接触させる側に、前記筐体に対して着脱自在でありかつ略吸盤状に開いた形状を呈する振動伝達部を有することを特徴とする、マッサージ具。
【請求項２】
前記凹部が前記筐体の周囲の少なくとも一部に形成されている、請求項１に記載のマッサージ具。
【請求項３】
前記凹部が前記筐体の全周に亘って形成されている、請求項１に記載のマッサージ具。
【請求項４】
前記筐体の少なくとも一部分に滑り止めが施されている、請求項１に記載のマッサージ具。
【考案の詳細な説明】
【技術分野】
【０００１】  この考案は、強い振動を発生するもしっかりと手で支えることが出来て、身体に効果的にバイブレーションを与え得ると共に、身体接触部に様々な異なる感触を与えることが出来るようなマッサージ具に関する。
【背景技術】
【０００２】  特開２００３−７０８５９の「バイブレータ内蔵肘掛け付椅子型マッサージ機」は株式会社マルタカの出願になるものであり、着座部の両側に一対の肘掛けを有し、背もたれに身体の背中側をマッサージするマッサージ機構が内蔵されていると共に、肘掛けの内部に前腕部をマッサージするバイブレータ機構が内蔵されている。そのマッサージ機構であるが、図３および図４で表されているように、モータ１９の回転軸１９Ａには、扇形の回転錘２３が固定されており、モータ１９に肘掛け１６の外部から電線２４を介して給電されると、モータ軸１９Ａとともに回転錘２３が回転するが、この回転錘２３は、その重心がモータ軸１９Ａの軸心から偏心している位置にあるため、ゴムブッシュ２２によって肘掛け１６に対して浮動状態で支持されている振動枠２０が振動し、肘掛け１６の上面に露出している振動枠２０の上に前腕部を載せると、その振動によって前腕部にマッサージ効果が得られる、と言うものである。【０００３】  特開２０１１−５６４５５の「バイブレータ装置及び携帯端末装置」は、日本電気株式会社の出願になるものであり、電動モータが発する振動を携帯端末装置のバイブレータに応用したものであり、図１および図２で表されているように、筐体に複数の振動周波数で振動を与えられるバイブレータ装置及びそれを備えた携帯端末装置を提供すべく、次のように構成されたものである。すなわちバイブレータ装置１０は第１の回転体２０と第２の回転体３０とを備える。第１の回転体２０は、第１シャフト２１と第１のウエイト２２とを有する。第１シャフト２１は、筐体に支持され回転駆動される。第１のウエイト２２は第１シャフト２１に偏心して回転結合される。第２の回転体３０は、第２シャフト３１と第２のウエイト３２とを有する。第２シャフト３１は第１の回転体２０に、所定の減速比または増速比で回転結合される。第２のウエイト３２は第２シャフト３１に偏心して回転結合される。
【先行技術文献】
【特許文献】
【０００４】
【特許文献１】特開２００３−７０８５９号公報
【特許文献２】特開２０１１−５６４５５号公報
【考案の概要】
【考案が解決しようとする課題】
【０００５】  これ等に代表されるような従来のマッサージ具は、電動モータの回転力を振動に変えて身体の凝りをほぐすことが出来るように構成されたものであるが、特開２００３−７０８５９の「バイブレータ内蔵肘掛け付椅子型マッサージ機」で使用されているバイブレータ機構は、モータ１９の回転軸１９Ａに扇形の回転錘２３が固定されているものであって、回転錘２３はモータ１９の直径よりも小さく、あまり強い振動を発生することが出来ないと言う問題がある。【０００６】  一方特開２０１１−５６４５５の「バイブレータ装置及び携帯端末装置」は上記同様の構成と問題点とを有するが、このものは携帯端末装置への着信等を通知するバイブレーションを発することが目的であるから、元々それほど強い振動は必要ではなく、あまり強い振動を発生することが出来ないこの種バイブレータ装置で十分なのである。やはりバイブレータ装置１０の第１の回転体２０も第２の回転体３０も、モータ１１の直径より小さいことが特徴である。【０００７】  しかしながら当考案者は、第一の課題として、強い振動を発生して身体に効果的にバイブレーションを与えることが出来るようなマッサージ具を提供したいものと考えた。また第二の課題として、バイブレーションは振動発生部から身体接触部を介して身体に伝達されるものであり、そこに接触感が生ずるものであるから、様々な接触感を与え得るように構成しておき、ユーザーが好みの接触感を自由に選択出来るようなマッサージ具を提供したいものと考えた。【０００８】  そこでこの考案は、上述したような第一の課題または第二の課題を個々に解決することを、または第一の課題および第二の課題を共に解決することを目的とする。
【課題を解決するための手段】
【０００９】  上記課題は、電動モータとこの電動モータのシャフトに偏心状態で取り付けられた錘とから成るマッサージ具であって、前記錘は前記シャフトから延設された前記電動モータの外周部を周回する部位を有しており、このマッサージ具の筐体の全体は掌で包み込み得るような形状を呈しており、この筐体の全体を掌で包み込んだ時に身体に接触させる側に、前記筐体に対して着脱自在でありかつ略吸盤状に開いた形状を呈する振動伝達部を有することを特徴とするマッサージ具とすることによって達成される。なお電源スイッチ部や電動モータの振動制御部は上記筐体に設けるようにしても、筐体とは別にリモコンを付属させてこれに電源スイッチ部や電動モータの振動制御部を設けるようにしても良い。また電源部には乾電池を用いるようにしても良いが、家庭用電源や、ここから充電する二次電池（蓄電池）を用いるようにしても良い。【００１０】  この考案の振動発生部の特徴は、電動モータのシャフトに錘が偏心状態で取り付けられているのであるが、錘の部分を電動モータの外側を周回し得るような位置に設けたので、錘は従来のようにシャフトの近傍で回転するのではなく、電動モータの外側をグラインドするように回転することになった。グラインド（ｇｒｉｎｄ）とは辞書によれば、＜うすなど＞の柄を持って回すことであると言うが、そのようなイメージの回転である。【００１１】  一方、この種機構の振動発生部に例えば柄部を設けたものとすると、振動発生部が大きく振れて柄部を持つ手が安定せず、極めて持ちづらいと言う欠点があることが分かった。すなわち柄部を持つ手が安定しない限り、大きな振動を発生してもそれが身体に効果的に伝わらず十分なマッサージ効果を上げることが出来ないと言うことである。そこで、このような大きな振動を行う振動発生部に柄を設けるのではなく、このマッサージ具の筐体の全体を、掌で包み込み得るような形状のものにした。この構成によって、恰も鷲掴みのごとく、筐体を掌で包み込むように掴んで身体所望箇所に押し当てるようにすれば、筐体がぶれることがないばかりか、ぶれない分の振動のエネルギーを身体に加えることが出来、十分なマッサージ効果を上げることが出来るようになったのである。【００１２】  また上記振動のエネルギーは、振動伝達部を介して身体に伝達されるものであるが、この振動伝達部を筐体に対して着脱自在であるように設けたので、複数種類の振動伝達部を用意しておけば必要に応じて取り替えて使用することが出来る。振動伝達部は例えば素材的には天然ゴム、合成樹脂、木材、金属、陶器などを自由であり、身体に接触する部位の形状は円形であったり方形であったり、後述するように身体に接触する部位が略平面状であればその面の凹凸のあるなしや、凹凸がある場合にはその形状などは任意に設計して良く、その各々が身体接触部位に対して異なる接触感を与え得る。なおこの部位が略吸盤状に開いた形状である場合に付いては次に述べる。このように着脱自在な振動伝達部の提供によって、ユーザーが好みの接触感を自由に選択することが出来るようになる。【００１３】  上述したようにこのような優れたマッサージ具を、前記筐体の全体を掌で包み込んだ時に身体に接触させる側が、略吸��状に開いた形状を呈するように構成すると良い。身体に押し当てる部位は略平面状でその全面が身体に接触するものであって良いわけであるが（この部位は凸面状や凹凸状などとすることが出来るが）、そうではなくて、略吸盤状に開いた形状を呈してその周囲が身体に接触する（略漏斗状で朝顔の花のように開いている側の口が身体に接触すると言っても良いが）ようにすると、また別の有効な作用を生ずることが分かった。【００１４】  すなわち、上記開いた形状の周囲が身体に接触すると、その中程の部分では皮膚が盛り上がって上記開いた形状の中に入りこむ様子が見られる。するとこれが筐体のぶれを抑制する方向に作用するので、マッサージ効果がより高まるのである。なお上記開いた形状の部位の素材によっては、ここが吸盤のような吸着作用を現ずる場合がある。【００１５】  さて、上述したマッサージ具に於いて、前記筐体の全体を掌で包み込んだ際に指が掛かりやすいような凹部が形成されているものとした。筐体の全体を掌で包み込むように掴んで身体所望箇所に押し当てるようにすることで、またこの際に母指球（親指の付け根の膨らみ）や指先を上記凹部に入り込むように握ることで、しっかりと筐体をグリップすることが出来、筐体がぶれることがないばかりか、ぶれない分の振動のエネルギーを身体に加えることが可能となり、十分なマッサージ効果を上げることが出来るのである。【００１６】  この凹部に関して、前記凹部が、前記筐体の周囲の少なくとも一部に形成されているものとして良い。これは筐体を掌で包み込むように掴んで身体所望箇所に押し当てる際に、凹部がある部位に注意してここに指先などを入れるようにすれば、しっかりと握りこむことが出来る。【００１７】  また上記凹部に関して、前記凹部が、前記筐体の全周に亘って形成されているものとしても良い。この構成によって、筐体を掌で包み込むように掴んで握る際に、凹部の位置を気にすることなくどのように掴んだとしても、より良いグリップ感が得られるようになる効果を奏する。【００１８】  次に、上述したマッサージ具に於いて、前記筐体の少なくとも一部に滑り止めが施されて成るものとすることが出来る。例えば前記凹部や、前記凹部を含むその他の部位や、ほぼ全体が滑り難い素材で構成されていれば、筐体をしかりと掌で包み込んでずれたりする心配が少なくなる。あるいは濡れた手で握っても滑りにくくなる。全体が滑り難い素材の一例としてシリコーン樹脂を上げる。また一般的な合成樹脂素材になる筐体であったとしても、例えば艶消し加工やエンボス加工を施すことで滑りにくくすることが可能である。このあたりのことは自由に工夫して良い。
【考案の効果】
【００１９】  この考案のマッサージ具によれば、錘がシャフトから延設された電動モータの外周部を周回する部位を有しており、このマッサージ具の筐体の全体は掌で包み込み得るような形状を呈するようにしたので、錘はグラインドするように回転して強い振動を発生するし、筐体を鷲掴みし得るように構成したので、筐体に設けられた凹部の作用と相俟って筐体がぶれることがないばかりか、ぶれない分の振動のエネルギーを身体に加えることが出来、身体に効果的にバイブレーションを与えることが出来るようになっている。また筐体の全体を掌で包み込んだ時に身体に接触させる側に、前記筐体に対して着脱自在の振動伝達部を有するようにしたので、様々な接触感を与え得る複数種の振動伝達部から、ユーザーが好みの接触感を自由に選択出来るようになっている。
【図面の簡単な説明】
【００２０】
【図１】  実施例１の側面視による説明図である。
【図２】  使用状態の説明図である。
【図３】  底面視による説明図である。
【図４】  底面視による説明図である。
【図５】  偏心状の錘３２を有する電動モータ３の説明図である。
【図６】  電動モータ２周りをブロック図にて表した説明図である。
【図７】  実施例２のコントローラ５の説明図である。
【図８】  実施例３の側面視による説明図である。
【考案を実施するための形態】
【実施例１】
【００２１】  図１乃至図６によりこの実施例のマッサージ具を説明する。身体に接触させる側である所の、下側に、略吸盤状に開いた形状で開口部２０が形成された振動伝達部２は、その上側に設けた着脱部２１によって、筐体１の下側に設けた着脱部１３に着脱自在で組み付けられるようになっている。筐体１の着脱部１３には山越えである嵌合突起１４と、振動伝達部２の嵌合突起２２が嵌合する嵌合溝１５とが設けられている。図１は筐体１に振動伝達部２を取り付けた状態を、図２は筐体１から振動伝達部２を取り外した状態を表している。振動伝達部２を取り付けた状態ではその全体は帽子のような形状を呈している。その筐体１は天部１０と側部１１とから成り、振動伝達部２の上方に、すなわち着脱部１３の上方の側部１１の一部に、指が掛かりやすいような凹部１２が形成されている。従って掌でこの筐体１をその天部１０から鷲掴みにして包み込むようにすると、指の腹は側部１１に接触するが、指の一部分は凹部１２に掛かるため、掌とこの指とでしっかりと筐体１をグリップすることが出来、略吸盤状に開いた形状の振動伝達部２の開口部２０の側を身体に接触させることが出来るのである。【００２２】  この筐体１は合成樹脂素材の中空状に成型されたものであり、内部には振動発生部である所の、錘３２を有する電動モータ３がモータケース３１に収められて取り付けられている。この錘３２は、図３で表すように電動モータ３の外周部３５の周りを回る周回部３４と、この周回部３４を電動モータ３のシャフト３０に取り付けるための橋絡部３３とから構成されている。橋絡部３３も周回部３４も錘であるが、この錘３２は従来のようにただシャフト３０の近傍で回転するのではない。重量のある橋絡部３３と周回部３４とが回転し、特に周回部３４は電動モータ３の外周部３５の外側を回転し、錘３は全体として上述のようにグラインドするように回転するため、大きな振動が重量感を伴って得られるのである。【００２３】  そこで筐体１を掌で包み込むように掴むと筐体１をしっかりとグリップすることが出来るわけであるが、錘３がグラインドすることで強い振動を発して身体に効果的にバイブレーションを与えることが出来るのであるが、上述のような鷲掴み的な持ち方をすることによって、また指が凹部１２に掛かるため、筐体１をその振動伝達部２から身体所望箇所に押し当てた際に、筐体１がぶれることがないばかりか、ぶれない分の振動のエネルギーを身体に加えることが出来るようになったのは、極めて大きな成果である。このようなマッサージ具は従来は存在しないものであった。【００２４】  なお図示はしないが、凹部１２を側部１１の全周に亘って形成されている実施例を上げることが出来る。この構成によって、筐体１を掌で包み込むように掴んで握る際に、凹部１２の位置を気にすることなくどのように掴んだとしても、より良いグリップ感が得られるようになる効果を奏する。【００２５】  また図示はしないが、筐体１の少なくとも一部に滑り止めを備えるようにしても良い。掌全体や、母指球の当りや、指先に対して滑り止めが利くように構成するのである。これによってより良い滑り止めの効果が得られる。あるいは濡れた手で握っても滑りにくくなる。こ��滑り止めの実施の仕方としては、筐体１のほぼ全体を滑り難い素材の一例としてのシリコーン樹脂で被覆したり、一般的な合成樹脂素材になる筐体であったとしても、例えば艶消し加工やエンボス加工を施すのである。【００２６】  電動モータ３は、図６のブロック図によって模式的に表した通りモータ制御部５に接続されており、このモータ制御部５は外部の電源アダプタ５０に接続されている。図１ではモータ制御部５を図示していないが、家庭用電源からの電力を電源アダプタ５０で直流に変換してから電動モータ３に印加するように構成されている。また電動モータ３の回転の強弱等の回転制御はモータ制御部５が担っている。電源スイッチや制御スイッチは図示していない。なお更に充電のための二次電池を備えるようにしても良い。あるいは電源アダプタ５０を用いず、すなわち電動モータ３を駆動するための電力を家庭用電源から取るのではなく、筐体１内に乾電池を備えるようにしても良い。【００２７】  ところで、図２で表したように振動伝達部２は筐体１に対して、着脱部１３，２１から着脱自在に構成されている。振動伝達部２は身体に接触させる側に略吸盤状に開いた形状で開口部２０が形成されている。この略吸盤状に開いた開口部２０の周囲が身体に接触して、その中程の部分では皮膚が盛り上がり開口部２０の中に入りこむ様子が見られたり、場合によってはここが吸盤のような吸着作用を現ずる。このような振動伝達部２は一例ではあるが別種の振動伝達部４と交換することが出来る。【００２８】  図４で表した振動伝達部４は合成樹脂製になるものであり、振動伝達部２と同じような筐体１に対する嵌合手段、を有しているが（図示せず）、身体に接触させる側である所の下側に、緩やかに膨らみのある底面部４０が設けられており（上記振動伝達部２ではこの部位は開いていたが、振動伝達部４ではこの部位は閉じられている）、この底面部４０の表面には吸盤４１が回転対称の位置に幾つも取り付けられているのが特徴である。しかして各々の吸盤４１は身体接触部、この場合は皮膚に対してであるが、より強い吸着作用を現わすことになる。
【実施例２】
【００２９】  図７はこの実施例のコントローラ５１を表したものである。上述の実施例１では筐体１内にモータ制御部５を設けていたが、これをコントローラ５１側に移したのがこの実施例２である。【００３０】  すなわちこのコントローラ５１は、マッサージ具の筐体１に接続するための電線５７とコンセントに接続するための電線５８とを備え、また電線５８の先方には図示しない電源プラグを備えている。符号５２は電源ボタンであり、電源ボタン５２は一度押すとＯＮであり二度目に押すとＯＦＦとなる言わばトグル式である。ＯＮ時にはＬＥＤの電源ライト５５が点灯する。アップボタン５４とダウンボタン５３との間には、バイブレーションの強さの段階を示すＬＥＤのインジケータ５６が設けられている。振動はアップボタン５４を押すごとに強くなり、逆にダウンボタン５３を押すごとに弱くなるように設計されている。すなわちこのような各種制御を行うモータ制御部をコントローラ５１は内蔵している分けである。なお電源ボタン５２、ダウンボタン５３、アップボタン５４には、この実施例ではメンブレンスイッチを用いている。電源ボタン５２は電源ＯＮ／ＯＦＦのトグル式であるが、これにリズム振動を切り替えるための機能を付与するようにしても良い。するとリズム振動の種類ごとにダウンボタン５３とアップボタン５４とを作用させ得る。
【実施例３】
【００３１】  図８を用いてこの実施例のマッサージ具を説明する。合成樹脂成型に成る中空の筐体６には、身体に接触させる向きである所の、下側に、開口部６３が設けられており、この開口部６３に、振動伝達部７である所の吸盤７０が、その嵌合部７１によって着脱自在に嵌合されている。この吸盤７０による振動伝達部７を取り付けた状態の筐体６の側部６１には、上記開口部６３の上方に指を掛かりやすくするための凹部６２が形成されている。この側部６１より上方は帽子のような天部６０となっている。なお筐体６の内部には振動発生部である所の錘３２を有する電動モータ３が取り付けられている。この錘３２は図５で表わしたものを使用している。【００３２】  このように筐体６を手で掴むと、振動伝達部７である吸盤７０が身体に接触することになる。すると吸盤７０は吸着作用を現じ、皮膚が盛り上がって吸盤７０の中に入りこむ様子が見られる。このようにして皮膚に吸着し皮膚を固定した振動伝達部７を通して、電動モータ３と錘３２とで発生する強い振動のエネルギーが、上述の凹部６２に母指球や指先を入れるしっかりとした握り方によって、筐体６がぶれることなく身体接触部に伝達されて、高いマッサージ効果を上げることが出来るのである。このようなマッサージ具は従来は存在しないものであった。【００３３】  なお振動伝達部７である吸盤７０は容易に交換することが可能である。大中小の大きさが異なるもの、円形や略方形など形状が異なるもの、感触が異なるもの、機能が異なるものなどの内から、ユーザーに好適なものを選択してもらうようにすれば良い。【００３４】  この他、この考案のマッサージ具に防水性を付与するなどの工夫をすると良い。風呂場での使用にはより好都合である。グリップ感をさらに高めるべく、手の甲に渡すバンドを設けるようにしても良い。また筐体の天部や底部や全体を光らせるイルミネーション用のライトを配するようにすると、興趣を催させるに十分なものとなる。また素材に付いて、筐体は光り輝くステンレス製であり振動伝達部はシリコーン製であるなど、異なる素材を組み合わせるようにして良い。また筐体の手で包み込み得るような形状の一例として略半球状を上げたが、方形角丸のような形状や、花麩のような形状で花弁の間に指用の溝が付いたような形状など、自由に設計して良い。これ等もまたこの考案の権利範囲である。
【産業上の利用可能性】
【００３５】  この考案のマッサージ具の用途は多岐に亘り、医療用やペット用などとして構成することが可能である。
【符号の説明】
【００３６】  １  筐体                        １０天部
１１側部                        １２凹部
１３着脱部                      １４嵌合突起
１５嵌合溝
２  振動伝達部                  ２０開口部
２１着脱部                      ２２嵌合突起
３  電動モータ                  ３０シャフト
３１モータケース                ３２錘
３３橋絡部                      ３４周回部
３５外周部
４  振動伝達部                  ４０底面部
４１吸盤
５  モータ制御部                ５０電源アダプタ
５１コントローラ                ５２電源ボタン
５３ダウンボタン                ５４アップボタン
５５電源ライト                  ５６インジケータ
５７電線                        ５８電線
６  筐体                        ６０天部
６１側部                        ６２凹部
６３開口部
７  振動伝達部                  ７０吸盤
７１嵌合部
【図１】
0003195158.tif 000003
【図２】
0003195158.tif 000004
【図３】
0003195158.tif 000005
【図４】
0003195158.tif 000006
【図５】
0003195158.tif 000007
【図６】
0003195158.tif 000008
【図７】
0003195158.tif 000009
【図８】
0003195158.tif 000010